(57)【要約】      （修正有）【課題】輻射式暖房装置としても使用可能な対流式暖房装置を提供する。【解決手段】燃焼部と、当該燃焼部から半径方向に所定の距離をおいて設けられた安全囲いとを少なくとも具える対流式暖房装置において、前記燃焼部と前記安全囲いとの間に、反射板を着脱自在に設けた。【選択図】図１
2005221149.tif 000002
【特許請求の範囲】
【請求項１】
燃焼部と、当該燃焼部から半径方向に所定の距離をおいて設けられた安全囲いとを少なくとも具える対流式暖房装置において、前記燃焼部と前記安全囲いとの間に、反射板を着脱自在に設けたことを特徴とする対流式暖房装置。
【請求項２】
請求項１に記載の対流式暖房装置において、前記燃焼部と安全囲いとの間に前記反射板を上側に支持する反射板受けを設け、当該反射板受けに前記反射板の位置決め手段を設けたことを特徴とする対流式暖房装置。
【請求項３】
請求項２に記載の対流式暖房装置において、前記位置決め手段が前記燃焼部と同心に延在する段差または溝であり、この段差または溝にそって前記反射板が周方向に移動可能であることを特徴とする対流式暖房装置。
【請求項４】
請求項１ないし３のいずれかに記載の対流式暖房装置において、前記反射板が縦方向に複数の折り目を設けた多面体として構成されていることを特徴とする対流式暖房装置。
【発明の詳細な説明】
【技術分野】
【０００１】
本発明は、暖房装置に関するものであり、特に、対流式石油ストーブなどの対流式暖房装置に関する。
【背景技術】
【０００２】
室内用の暖房装置として、灯油、電気、ガスなどを燃料とするストーブがあるが、灯油ストーブは、燃料が安価で暖かいことなどから、広く一般に利用されている。灯油ストーブは、主に、燃焼部の背部に反射板を設けて前方を開放した反射式のものと、燃焼部の四方を開放して燃焼部から発生する熱を対流させて室内を暖房する対流式のものがある。対流式のストーブは、通常、部屋の中央において使用され、室内の空気を対流させることによって室内全体を暖めるようにしている。
【特許文献１】特開２００１−２５４９５１
【特許文献２】特開２００１−１３２９３８
【発明の開示】
【発明が解決しようとする課題】
【０００３】
このような対流式のストーブは、火災等の危険を避けるため、主として部屋の中央に置いて使用することとなるが、部屋が狭い場合などは、部屋の中央に置くと邪魔になることがある。また、一カ所を集中的に暖房したいような場合でも室内全体を暖房することになり、所望の暖房効率が得られないことがある。
【０００４】
本発明は、上述した問題点を解決するために、輻射式としても使用することが可能な対流式暖房装置を提供することを目的とするものである。
【課題を解決するための手段】
【０００５】
上記課題を解決するために、本発明の対流式暖房装置は、燃焼部と、当該燃焼部から半径方向に所定の距離をおいて設けられた安全囲いとを少なくとも具える暖房装置において、前記燃焼部と前記安全囲いとの間に、反射板を着脱自在に設けたことを特徴とする。
【０００６】
このように反射板を設けることによって、対流式暖房装置を、輻射式暖房装置としても使用することが可能になる。反射板は、着脱自在であるので、これを取り外すことによって対流式暖房装置として使用することができる。
【０００７】
また、本発明の対流式暖房装置は、前記燃焼部と安全囲いとの間に前記反射板を上側に支持する反射板受けを設け、当該反射板受けに前記反射板の位置決め手段を設けたことを特徴とする。
【０００８】
この構成では反射板受けの位置決め手段で反射板を位置決めすることにより燃焼部と反射板の距離を好適に保つことができる。
【０００９】
なお、前記位置決め手段は、前記燃焼部と同心に延在する段差または溝であり、この段差または溝にそって前記反射板が周方向に移動可能であることが好ましい。このように構成することによって、反射板の位置を周方向において容易に変えることができるため、暖房装置本体を動かすことなく、熱の輻射方向を自在に変えることが可能となる。
【００１０】
前記反射板は縦方向に複数の折り目を設けた多面体として構成されていることが好ましい。
【発明の効果】
【００１１】
上述したとおり、本発明の構成によれば、対流式のストーブを輻射式ストーブとして使用することが可能となる。したがって、対流式ストーブを部屋の隅、あるいは壁際に置きたい場合などに、反射板を取り付けることによって、火災の危険をなくし安全に使用することができる。また、部屋の中央に置いて使用する場合でも、特定方向を部分的に暖めたいような場合に、反射板を使用することによって、効率よく暖房することが可能となる。
【発明を実施するための最良の形態】
【００１２】
以下に、石油ストーブを例にとって本発明の暖房装置の好適な実施形態を説明する。
図１は、本発明に係る対流式石油ストーブの構成を示す図である。図１において、ストーブ１は、灯油タンク１１、灯芯および半球状の燃焼カバー等で構成される円筒状の燃焼部１３、燃焼部１３から半径方向に所定の距離をおいて配置された防護カバー１５、防護カバー１５を支持するスタンド１７、支持スタンド１７の上部に配置されたトップカバー１９を具える。
【００１３】
灯芯は灯油タンク１１内の灯油を吸い上げて燃焼し、燃焼カバーを介して発熱する。燃焼部１３の下方には摘み２１が設けられており、この摘み２１を左右に回転させることによって灯芯を上下動させる。燃焼部１３は上方および四方が開放されており、燃焼によって室内の空気を対流させて、室内全体を暖めるように構成されている。
【００１４】
灯油タンク１１は燃焼部１３より径が大きく、灯油タンク１１の外側端部に対向する２本の支持スタンド１７が設けられている。支持スタンド１７は、防護カバー１５及びトップカバー１９の位置を規定している。すなわち、防護カバー１５は対向する側部がスタンド１７に支持されており、半径方向に所定の距離をおいて、燃焼部１３を囲むように配置されている。この防護カバー１５により、使用者は燃焼部１３に触れることなく安全にストーブを使用することができる。
【００１５】
支持スタンド１７の上端には、トップカバー１９が設けられている。トップカバー１９はフランジ部を有するドーナツ形状の枠１９ａと、蓋１９ｂとからなる。
【００１６】
防護カバー１５は、側部が支持スタンド１７に支持されていると共に、上端がトップカバー１９に取り付けられ、下端は解放されている。また、この防護カバー１５の下端に、ドーナツ形状の反射板受け２３が設けられている。反射板受け２３の外周は防護カバー１５の内周で規定されており、内周は燃焼部１３から所定の距離をおいて位置している。反射板受け２３には、燃焼部１３と同心に、反射板を位置決めするための段差２３ａが設けられている。
【００１７】
本発明のストーブは、更に、内側にアルミ等の反射面を有するフレキシブルな反射板２５を具える。図２は、この反射板２５の好適な実施例を示す図である。反射板２５は等間隔に折り目をつけた５面体として構成されている。なお、反射板２５は５面体より少ないあるいは多くの面を有する多面体か、あるいは曲面としてもよい。また、多面体とした場合、各面の横方向の寸法は、必ずしも均一でなくともかまわない。
【００１８】
反射板２５は、トップカバー１９の蓋１９ｂを取り外して、その開口部から、燃焼部１３と防護カバー１５との間に挿入し、その下端を反射板受け２３の段差２３ａに、当接させてその位置を固定する。反射板２５はそのフレキシビリティにより、外側へ向かう力が働いているが、段差２３ａによりその位置が規定されるため、燃焼部１３から所定の距離を保たれる。なお段差２３ａは、反射板２５を垂直に立てた状態で保持できる程度の高さを有する。
【００１９】
このように、反射板受け２３を設けて、反射板２５を着脱自在とすることによって、対流式ストーブ１を輻射式ストーブとしても使用することが可能となる。すなわち、反射板２５を装着することによって輻射式ストーブとして機能するので、反射板２５を後方にして、ストーブを室内の隅や、壁近傍に置くことができるし、反射板２５を取り外せば、通常の対流式ストーブ１として機能することになる。
【００２０】
なお、段差２３ａに代えて溝を設けて反射板２５の位置決めを行うようにしても良い。段差または溝は必ずしも全周に設けなくとも、反射板２５の横方向の長さをカバーできるものであればよい。また、適当な反射板ストッパ装置を設けるようにしてもよい。
【００２１】
反射板２５の材質は、ストーブの燃焼部１３からの熱に耐えるものであり、燃焼部１３と防護カバー１５との間に直立するリジッド性を有するものであれば、どのようなものでも良い。好ましくは、ステンレス等の鏡面板を用いることができる。
【００２２】
以上、本発明の実施形態を詳細に説明したが、本発明はこの例に限定されるものではなく、さまざまな変形例、変更例が考えられる。例えば、上述の実施形態では、防護カバー１５を金属でできたメッシュ状の部材を円筒状にしたもので構成しているが、使用者の安全を確保して、かつ燃焼部１３からの熱放射を極端に妨げないものであれば、その他の構成としてもよい。
【００２３】
また、上述の実施形態は、石油ストーブを例として説明したが、電気、ガス等を燃料とする他の暖房装置にも本発明を適用することができる。
【図面の簡単な説明】
【００２４】
【図１】図１は、本発明の暖房装置の好適な実施形態を示す図である。
【図２】図２は、本発明の暖房装置の、反射板の構成を示す図である。
【符号の説明】
【００２５】
１    対流式ストーブ
１１  灯油タンク
１３  燃焼部
１５  防護カバー
１７  支持スタンド
１９  トップカバー
２３  反射板受け
２３ａ  段差
２５  反射板
【図１】
2005221149.tif 000003
【図２】
2005221149.tif 000004